(57)【要約】【目的】５つのツボをマッサージして、眼の疲労を効果的に緩和することのできるアイマッサージャーを提供する。【解決手段】アイマッサージャーは、筐体と、筐体内に配置された可撓性透光膜と、圧力コントローラとを含む。筐体は、圧力コントローラが内設された収容空間、 および筐体の一部を覆う可撓性透光膜によって形成された圧力制御空間を含む。筐体が眼を覆った時、筐体、可撓性透光膜、および眼が密封空間を形成する。また、圧力制御空間内の圧力の大きさを検出および調整するために使用される圧力コントローラが圧力を下げた時、可撓性透光膜が圧力制御空間に向かって凹み、密封空間の体積を増やす。圧力コントローラが圧力制御空間にガスを充填した時、可撓性透光膜が密封空間に向かって突き出して、使用者の眼を押圧する。【選択図】図１
2018023780.tif 000002
【特許請求の範囲】
【請求項１】
使用者の眼をマッサージするのに適したアイマッサージャーであって、
収容空間および圧力制御空間を含む筐体と、
前記筐体内に配置され、前記筐体の一部を覆い、前記圧力制御空間を形成する可撓性透光膜と、
前記収容空間内に配置され、前記圧力制御空間内の圧力の大きさを検出および調整するのに適した圧力コントローラと、
を含み、
前記筐体が前記使用者の前記眼を覆った時、前記筐体、前記可撓性透光膜、および前記使用者の前記眼の間に密封空間が形成され、前記圧力制御空間のサイズが、前記密封空間を圧迫または抽出し、
前記圧力コントローラが前記圧力制御空間内の前記圧力を下げた時、前記可撓性透光膜が前記圧力制御空間に向かって凹んで、前記密封空間の体積を増やした後、前記使用者の前記眼が前記密封空間に向かって引き込まれ、
前記圧力コントローラが前記圧力制御空間にガスを充填した時、前記可撓性透光膜が前記密封空間に向かって突き出して、前記使用者の前記眼を押圧した後、前記圧力制御空間が前記密封空間および前記使用者の前記眼を圧迫するアイマッサージャー。
【請求項２】
前記筐体の一端を取り囲む弾性保護フレームをさらに含み、前記弾性保護フレームが、前記使用者の前記眼の周囲と接触して取り囲み、前記密封空間を形成するのに適した請求項１に記載のアイマッサージャー。
【請求項３】
前記弾性保護フレームが、前記可撓性透光膜および前記筐体に固定および接続された請求項２に記載のアイマッサージャー。
【請求項４】
前記弾性保護フレームの材料が、シリコーンである請求項２に記載のアイマッサージャー。
【請求項５】
前記可撓性透光膜の材料が、シリコーンである請求項１に記載のアイマッサージャー。
【請求項６】
前記収容空間内に配置された発光素子をさらに含み、前記発光素子によって出射された光ビームが、前記可撓性透光膜を通過するのに適した請求項１に記載のアイマッサージャー。
【請求項７】
前記発光素子によって出射される前記光ビームの波長が、４９５ナノメートル〜５７０ナノメートルの範囲である請求項６に記載のアイマッサージャー。
【請求項８】
前記圧力コントローラに接続されたプロセッサをさらに含み、前記プロセッサが、前記圧力コントローラによって検出された前記圧力の前記大きさに基づいて、前記圧力コントローラに制御信号を送信し、前記圧力制御空間内の前記圧力を調整する請求項１に記載のアイマッサージャー。
【請求項９】
前記アイマッサージャーが前記使用者の前記眼を覆った時、前記可撓性透光膜が、前記筐体と前記使用者の前記眼の間に位置している請求項１に記載のアイマッサージャー。
【請求項１０】
前記圧力コントローラが、圧力変換器である請求項１に記載のアイマッサージャー。
【発明の詳細な説明】
【技術分野】
【０００１】
本発明は、マッサージ装置に関するものであり、特に、アイマッサージャー（eye massager）に関するものである。
【背景技術】
【０００２】
電子製品への依存性および使用時間の増加に伴い、人々の視力問題が次第に悪化している。例えば、眼球間の瞳孔距離および異常な角膜曲光度から生成された正しい視力の問題を調整するために、メガネをかけることによってこのような問題を解決するのが最も一般的な方法である。しかしながら、メガネをかけることによって視力を回復できても、この方法は比較的消極的な視力矯正の方法であり、使用者が眼球自体から感じる疲労やストレスは、まだ改善されていない。
【０００３】
既存の技術において、正圧と負圧を交互に変化させて眼球に対し押圧と吸引を行い、眼をリラックスさせることによって、眼球間の瞳孔距離をマッサージ治療するマッサージャーが開発されている。しかしながら、実際の使用では、モータを回転させてコントロールディスクを駆動してから、コントロールディスクの一側にある回動軸戻り止めアクチュエータ（turning shaft detent actuator）を前後に動かすことにより、マッサージャーに正圧と負圧を生成する。その結果、このような間接的なモータ凸面円板車輪（convex wheel）運転メカニズムを採用することにより、マッサージャーの構造が複雑になり、マッサージャーの全体の体積が非常に大きくなる。一方、モータを回転するには、さらに圧力検出が必要となり、圧力検出素子とモータを配置しなければならないため、全体的な素子の複雑性および上述した視力マッサージャーの製造コストが増加する。
【発明の概要】
【発明が解決しようとする課題】
【０００４】
本発明は、使用者の眼を効果的にマッサージし、リラックスさせることのできるアイマッサージャーを提供する。
【課題を解決するための手段】
【０００５】
本発明の実施形態のアイマッサージャーは、使用者の眼をマッサージするのに適している。アイマッサージャーは、筐体と、可撓性透光膜と、圧力コントローラとを含む。筐体は、収容空間および圧力制御空間を含む。可撓性透光膜は、筐体内に配置され、可撓性透光膜は、筐体の一部を覆い、圧力制御空間を形成する。圧力コントローラは、収容空間内に配置され、圧力コントローラは、圧力制御空間内の圧力の大きさを検出および調整するのに適している。筐体が使用者の眼を覆った時、筐体、可撓性透光膜、および使用者の眼の間に密封空間が形成される。また、圧力制御空間のサイズは、密封空間を圧迫または抽出することができる。圧力コントローラが圧力制御空間内の圧力を下げた時、可撓性透光膜が圧力制御空間に向かって凹み、密封空間の体積が増加するため、使用者の眼が密封空間に向かって引き込まれる。圧力コントローラが圧力制御空間にガスを充填した時、可撓性透光膜が密封空間に向かって突き出して、使用者の眼を押圧した後、圧力制御空間が密封空間および使用者の眼を圧迫する。
【０００６】
本発明の１つの実施形態において、アイマッサージャーは、さらに、筐体の一端を取り囲む弾性保護フレームを含む。弾性保護フレームは、使用者の眼の周囲と接触して取り囲み、密封空間を形成するのに適している。
【０００７】
本発明の１つの実施形態において、アイマッサージャーは、さらに、発光素子を含む。発光素子は、収容空間内に配置され、発光素子によって出射された光ビームは、可撓性透光膜を通過するのに適している。
【０００８】
本発明の１つの実施形態において、アイマッサージャーは、さらに、圧力コントローラに接続されたプロセッサを含む。プロセッサは、圧力コントローラによって検出された圧力の大きさに基づいて、圧力コントローラに制御信号を送信し、さらに、圧力制御空間内の圧力を調整する。
【０００９】
本発明の１つの実施形態において、アイマッサージャーが使用者の眼を覆った時、可撓性透光膜は、筐体と使用者の眼の間に位置している。
【発明の効果】
【００１０】
以上のように、本発明の実施形態のアイマッサージャーは、圧力コントローラによって圧力制御空間からガスを抽出する、または圧力制御空間にガスを充填するのに適しており、同時に、圧力制御空間内の圧力を検出することにより、圧力制御空間内の圧力に基づいて、圧力コントローラの操作を瞬時に決定するため、使用者の眼を効果的にマッサージすることができる。
【図面の簡単な説明】
【００１１】
添付図面は、本発明の原理がさらに理解されるために含まれており、本明細書に組み込まれかつその一部を構成するものである。図面は、本発明の実施形態を例示しており、説明とともに、本発明の原理を説明する役割を果たしている。
【００１２】
【図１】本発明の第１実施形態に係るアイマッサージャーの概略図である。
【図２Ａ】図２Aは、本発明の第１実施形態に係るアイマッサージャーの概略的断面図である。
【図２Ｂ】図２Bは、本発明の第１実施形態に係るアイマッサージャーの概略的断面図である。
【図２Ｃ】図２Cは、本発明の第１実施形態に係るアイマッサージャーの概略的断面図である。
【図３】本発明の第１実施形態に係るアイマッサージャーの概略的斜視図である。
【発明を実施するための形態】
【００１３】
本発明は、使用者の眼をより効果的にマッサージすることのできるアイマッサージャーを提供する。図１を参照すると、本発明の第１実施形態において、アイマッサージャー１００は、筐体１１０と、可撓性透光膜１２０および１４０と、圧力コントローラ１３０および１５０とを含む。筐体１１０は、収容空間１１２と、圧力制御空間１１３および１１５とを含む。また、圧力コントローラ１３０および１５０と発光素子１７０および１７２は、収容空間１１２内に配置され、可撓性透光膜１２０は、圧力制御空間１１３内に配置され、可撓性透光膜１４０は、圧力制御空間１１５内に配置される。
【００１４】
本実施形態において、可撓性透光膜１２０は、使用者５０に隣接する圧力制御空間１１３の一側に配置されて、圧力制御空間１１３を形成し、可撓性透光膜１４０は、使用者５０に隣接する圧力制御空間１１５の一側に配置されて、圧力制御空間１１５を形成する。圧力コントローラ１３０は、圧力制御空間１１３内の圧力の大きさを検出するよう構成され、圧力制御空間１１３からガスを抽出する、または圧力制御空間１１３にガスを注入することにより、圧力の大きさを制御する。圧力制御空間１１５内の圧力は、圧力コントローラ１５０によって調整および検出される。
【００１５】
筐体１１０が使用者５０の眼５２および５４を覆った時、筐体１１０と眼５２の間に密封空間Ｓ１が形成され、さらに、可撓性透光膜１２０が眼５２に隣接するため、圧力制御空間１１３のサイズが密封空間Ｓ１を圧迫または抽出することができる。同時に、筐体１１０と眼５４の間に密封空間Ｓ２が形成されるため、圧力制御空間１１５のサイズが密封空間Ｓ２を圧迫または抽出し、可撓性透光膜１４０が眼５４に隣接する。圧力コントローラ１３０および１５０が圧力制御空間１１３および１１５内の圧力を下げた時、可撓性透光膜１２０および１４０が圧力制御空間１１３および１１５に向かって凹み、それによって、密封空間Ｓ１およびＳ２の体積が増加するため、使用者５０の眼が密封空間Ｓ１およびＳ２に向かって引き込まれる。圧力コントローラ１３０および１５０が圧力制御空間１１３および１１５内の圧力を上げた時、可撓性透光膜１２０および１４０が密封空間Ｓ１およびＳ２に向かって突き出して、さらに、使用者５０の眼５２および５４を押圧するため、圧力制御空間１１３および１１５が密封空間Ｓ１およびＳ２および眼５２および５４を圧迫する。
【００１６】
具体的に説明すると、図２A〜２Cは、本発明の第１実施形態に係るアイマッサージャーの概略的断面図である。図１および図２Aを参照すると、本発明の第１実施形態において、可撓性透光膜１２０および１４０は、筐体１１０内に配置される。可撓性透光膜１２０は、筐体１１０の一部を覆って、圧力制御空間１１３を形成し、可撓性透光膜１４０は、筐体１１０の一部を覆って、圧力制御空間１１５を形成する。圧力コントローラ１３０および１５０は、筐体１１０の収容空間１１２内に配置される。
【００１７】
つまり、可撓性透光膜１２０は、圧力制御空間１１３の一端を密封し、圧力制御空間１１３内のガスの量は、圧力コントローラ１３０によって変化する。可撓性透光膜１４０は、圧力コントローラ１５０の一端を密封し、圧力制御空間１１５内のガスの量は、圧力コントローラ１５０によって変化する。
【００１８】
本実施形態の筐体１１０が使用者５０の眼５２および５４を覆った時、筐体１１０、可撓性透光膜１２０、および使用者５０の眼５２および５４の間に密封空間Ｓ１およびＳ２がそれぞれ形成される。
【００１９】
図１および図２Bを参照すると、圧力コントローラ１３０および１５０がそれぞれ圧力制御空間１１３および１１５にガスを充填した時、可撓性透光膜１２０および１４０がそれぞれ密封空間Ｓ１およびＳ２に向かって突き出すため、使用者５０の眼５２および５４を押圧する。つまり、圧力コントローラ１３０および１５０が圧力制御空間１１３および１１５にガスを充填した時、圧力コントローラ１３０および１５０を密封している可撓性透光膜１２０および１４０が突き出して、使用者５０の眼５２および５４を押圧する。
【００２０】
図１および図２Cを参照すると、圧力コントローラ１３０が圧力制御空間１１３内の圧力を下げた場合、可撓性透光膜１２０が圧力制御空間１１３に向かって凹むため、密封空間Ｓ１の体積が増加する。圧力コントローラ１５０において、可撓性透光膜１４０は、圧力制御空間１１５内の圧力が下がることによって、圧力制御空間１１５に向かって凹むため、密封空間Ｓ２の体積が増加する。密封空間Ｓ１内の体積が増加するにつれ、密封空間Ｓ１内の圧力が相対的に下がるため、使用者５０の眼５２が圧力制御空間１１３に向かって引き込まれる。同時に、密封空間Ｓ２内の体積も同様に体積増加により下がるため、それによって、使用者５０の眼５４が引き込まれる。
【００２１】
そのため、本実施形態において、アイマッサージャー１００は、圧力コントローラ１３０および１５０により圧力の大きさを前後に調整して、使用者５０の眼５２および５４をマッサージすることができる。アイマッサージャー１００の圧力コントローラ１３０および１５０は、同時に、圧力制御空間１１３および１１５内の圧力を調整および検出することができるため、圧力の大きさに基づいて、圧力コントローラ１３０および１５０がどのように圧力を調整するのかをより効果的に決定することができる。一方、圧力コントローラ１３０および１５０は、筐体１１０内の収容空間１１２内に直接配置されるため、アイマッサージャー１００の全体の体積を減らすことができる。
【００２２】
つまり、アイマッサージャー１００が使用者５０の眼５２および５４を覆った時、可撓性透光膜１２０および１４０は、筐体１１０と使用者５０の眼５２および５４の間に位置している。そのため、使用者５０の眼の周りの圧力は、可撓性透光膜１２０および１４０の湾曲とともに変化することができる。
【００２３】
具体的に説明すると、上述したアイマッサージャー１００は、さらに、圧力コントローラ１３０および１５０に接続されたプロセッサ２００を含む。プロセッサ２００は、圧力コントローラ１３０および１５０によって検出された圧力の大きさに基づいて、圧力コントローラ１３０および１５０に制御信号を送信し、それにより、圧力制御空間１１３および１１５内の圧力を調整する。
【００２４】
例えば、プロセッサ２００は、圧力コントローラ１３０および１５０が圧力制御空間１１３および１１５にガスを充填した時の圧力変化に基づいて、ガス充填中の圧力の最大値を決定することができ、または圧力コントローラ１３０および１５０が圧力制御空間１１３および１１５からガスを抽出した時の圧力変化に基づいて、ガス抽出中の圧力の最大値を決定することができる。
【００２５】
本実施形態の圧力コントローラ１３０および１５０は、一種の圧力変換器である。例えば、圧力コントローラ１３０および１５０は、生物医科学、気象学、および他の分野に適した圧力変換器である。このような圧力変換器のコアは、微小電気機械システム（microelectromechanical systems, MEMS）を用いて技術加工される圧力変換器チップである。圧力変換器チップは、弾性膜およびその膜に組み込まれた４つの電気抵抗によって形成される。４つの電気抵抗は、例えば、圧電物質（piezoelectric material）で形成されてもよいため、ホイートストンブリッジ（Wheatstone bridge）構造が形成される。そのため、弾性膜に圧力を印加した時、ブリッジは、印加した圧力に線比例する電圧出力信号を生成する。そのため、アイマッサージャー１００の全体の体積を大幅に減らすことができる。
【００２６】
本発明の実施形態の圧力コントローラは、上述した配置に限定されない。本発明の別の実施形態において、圧力コントローラは、さらに、圧力制御空間に流出入するガスを制御するのに適したガスポンプモータまたは真空モータを含んでもよいが、本発明はこれに限定されない。
【００２７】
一方、本発明の第１実施形態が提供する可撓性透光膜１２０および１４０の材料は、例えば、シリコーン（silicone）である。そのため、可撓性透光膜１２０および１４０は、使用者５０の眼５２および５４と接触するのに適しているため、使用者５０は、マッサージ中に不快感を感じない。
【００２８】
本実施形態のアイマッサージャー１００は、さらに、筐体１１０の一端を取り囲む弾性保護フレーム１６０および１６２を含む。弾性保護フレーム１６０および１６２は、使用者５０の眼５２および５４と接触して取り囲むのに適しており、それによって、密封空間Ｓ１およびＳ２が形成される。具体的に説明すると、本実施形態の弾性保護フレーム１６０および１６２は、圧力制御空間１１３および１１５を形成する筐体１１０の一部から突き出す。また、弾性保護フレーム１６０および１６２の材料は、例えば、シリコーンである。そのため、使用者５０がアイマッサージャー１００を装着した時、弾性保護フレーム１６０および１６２は、使用者５０の眼５２および５４の周りの皮膚に寄りかかることができる。弾性保護フレーム１６０および１６２の弾性は、さらに、密封空間Ｓ１およびＳ２を確実に密封することができるため、圧力制御空間１１３および１１５は、密封空間Ｓ１およびＳ２の体積およびサイズを効果的に駆動することができる。
【００２９】
図３は、本発明の第１実施形態に係るアイマッサージャーの概略的斜視図である。図３を参照すると、本実施形態において、アイマッサージャー１００は、さらに、ヘッドバンド６０を含むことができる。ヘッドバンド６０は、使用者５０の頭と接触するのに適しているため、アイマッサージャー１０の筐体１１０および弾性保護フレーム１６０および１６２は、使用者５０の眼５２および５４を適切に押圧することができ、さらに、可撓性透光膜１２０および１４０により眼５２および５４の周りの圧力を制御することができる。一方、本実施形態のアイマッサージャー１００は、ガスパイプラインおよび電気接続回路の両方が筐体１１０内に配置された時に、より便利に使用することができるが、本発明はこれに限定されない。本発明の別の実施形態において、アイマッサージャーは、追加のガスパイプラインおよび電気接続回路により外部電気素子に接続されてもよい。
【００３０】
一方、弾性保護フレーム１６０は、可撓性透光膜１２０および筐体１１０に固定および接続され、弾性保護フレーム１６２は、可撓性透光膜１４０および筐体１１０に固定および接続される。つまり、弾性保護フレーム１６０および１６２は、筐体１１０にスリーブ接続（sleeved on）されるため、可撓性透光膜１２０および１４０をそれぞれ弾性保護フレーム１６０および１６２と筐体１１０の間に挟むことができる。
【００３１】
本実施形態のアイマッサージャー１００は、さらに、発光素子１７０および１７２を含む。発光素子１７０および１７２は、収容空間１１２内に配置され、発光素子１７０および１７２によって出射された光ビームＬは、可撓性透光膜１２０および１４０を通過するのに適している。そのため、使用者５０がアイマッサージャー１００を装着した時、眼５２および５４の両方が光ビームＬを受信することができる。
【００３２】
具体的に説明すると、発光素子１７０および１７２によって出射される光ビームＬは、例えば、４９５ナノメートル〜５７０ナノメートルの間の波長を有する緑色光ビームである。そのため、本実施形態のアイマッサージャー１００は、眼５２および５４をマッサージし、同時に、使用者５０が感じるストレスを解放することができる。
【００３３】
以上のように、本発明の実施形態は、アイマッサージャーの筐体内に圧力コントローラを直接配置し、可撓性透光膜を用いて使用者の眼を覆うことにより、密封空間を形成する。圧力コントローラが圧力制御空間からガスを抽出する、または圧力制御空間にガスを充填する時、圧力コントローラは、同時に、圧力制御空間内の圧力を検出することができるため、可撓性透光膜が突き出る、または凹むよう駆動して、使用者の眼を効果的にマッサージすることができる。
【００３４】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【産業上の利用可能性】
【００３５】
本発明は、５つのツボ（acupuncture-point）をマッサージして、眼の疲労を効果的に緩和することのできるアイマッサージャーに関するものである。
【符号の説明】
【００３６】
５０  使用者
５２、５４  眼
６０  ヘッドバンド
１００  アイマッサージャー
１１０  筐体
１１２  収容空間
１１３、１１５  圧力制御空間
１２０、１４０  透光膜
１３０、１５０  圧力コントローラ
１６０、１６２  弾性保護フレーム
１７０、１７２  発光素子
２００  プロセッサ
Ｌ  光ビーム
Ｓ１、Ｓ２  密封空間
【図１】
2018023780.tif 000003
【図２Ａ】
2018023780.tif 000004
【図２Ｂ】
2018023780.tif 000005
【図２Ｃ】
2018023780.tif 000006
【図３】
2018023780.tif 000007
【外国語明細書】
2018023780000001.pdf